(57)【要約】【課題】注入器を握った指を固定できる、注入器用補助具並びに注入器を提供する。【解決手段】注入器用補助具１は、両端に開口部３が形成された円筒形状の本体２と、本体２の外側表面に突出形成されると共に、互いに本体２の長手方向において対向する一対の突出部４を備える。本体２は、一端に第１の突出部４Ａが突出形成されていると共に、他端の内側表面に突起部５が形成された第１の本体２Ａと、第１の本体２Ａの外側表面に同軸状にかつスライド可能に取付けられると共に、第１の本体２Ａ側とは反対側の端部の外側表面に第２の突出部４Ｂが突出形成された第２の本体２Ｂとを有する。所定の力即ち摩擦力より大きい力を加えることで両者はスライドし、本体２を伸縮させることができる。本体２は、両端に突出部４が突出形成されていると共に、突出部４の対向方向に伸縮可能に構成されている。【選択図】図１
2013063152.tif 000002
【特許請求の範囲】
【請求項１】
両端に開口部が形成された筒形状の本体と、
該本体の外側表面に突出形成されると共に、互いに前記本体の長手方向において対向する一対の突出部とを備える
注入器用補助具。
【請求項２】
前記本体は、両端に前記突出部が突出形成されていると共に、前記突出部の対向方向に伸縮可能に構成された
請求項１に記載の注入器用補助具。
【請求項３】
前記本体が、一端に第１の突出部が突出形成されていると共に、他端の内側表面に突起部が形成された第１の本体と、
前記第１の本体の外側表面に同軸状にかつスライド可能に取付けられると共に、外側表面に第２の突出部が突出形成された第２の本体とを有する
請求項１または請求項２に記載の注入器用補助具。
【請求項４】
注入器本体と、
両端に開口部が形成されると共に、前記注入器本体を挿入可能に構成された筒形状の補助具と、
該補助具の外側表面に突出形成されると共に、互いに前記補助具の長手方向において対向する一対の突出部とを備える
注入器。
【請求項５】
前記注入器本体の一端に注入ボタンが設けられ、
前記突出部の一つが、該注入ボタンから２ｃｍ以内の距離に位置する
請求項４に記載の注入器。
【発明の詳細な説明】
【技術分野】
【０００１】
本発明は注入器用補助具及び注入器に関する。詳しくは、インスリンなどの薬剤を自己注入するための注入器用補助具及び注入器に係るものである。
【背景技術】
【０００２】
糖尿病患者は、体内のインスリン作用の不足を補うために、インスリンを毎日決められた時間に皮下注入する療法であるインスリン療法を実施している。
【０００３】
また、インスリン療法は、患者自身が注入器を操作して行なうことが多く、患者自身によるインスリン注入を補助するための器具が幾つか提案されている。例えば特許文献１には、図５に示すような注入用補助具が記載されている。即ち、特許文献１に記載の注入用補助具１０１は、注入器を所定の角度に載置させる台座１０２と、台座１０２に設けた固定用バンド１０３とを備える。
【０００４】
ここで、台座１０２の上面は、所定の角度に傾斜した傾斜面１１１になっており、傾斜面１１１には、傾斜方向に沿って全長にわたり２本の突条１１２が設けられ、突条１１２の間には溝部１１３が形成されている。
そして、固定用バンド１０３を患者の大腿部に巻き付けて固定し、溝部１１３に注入器を載置する。
【先行技術文献】
【特許文献】
【０００５】
【特許文献１】実開平７−２２７４５号公報
【発明の概要】
【発明が解決しようとする課題】
【０００６】
しかしながら、特許文献１に記載の注入用補助具は、台座と、台座に設けた固定用バンドを備えているので、持ち運ぶときに嵩張ってしまい、また、インスリンを注入する際には、固定用バンドを大腿部に固定する必要があった。
【０００７】
また、仮に補助具を用いずに患者自身がインスリン注入を行なう場合でも、患者は、注入器をしっかりと掴むために、注入器を、第二指（示指）と、第三指（中指）と、第四指（薬指）と、第五指（小指）と、手のひらとで握り、第一指（拇指）で押部材を押すが、患者に著しい握力低下が起こると、第二指〜第五指と手のひらで注入器を握る力が不足してしまうから、押部材を押した方向に注入器が滑ってしまい、押部材を充分に押せないことがあった。
【０００８】
また、押部材を押す前も、第二指〜第五指と手のひらで注入器を握る力が不足してしまうから、患者の手が注入器に沿って滑り落ちてしまう場合もあった。
【０００９】
本発明は、以上の点に鑑みて創案されたものであり、注入器を握った指を固定できる、注入器用補助具並びに注入器を提供することを目的とする。
【課題を解決するための手段】
【００１０】
上記の目的を達成するために、本発明の注入器用補助具は、両端に開口部が形成された筒形状の本体と、該本体の外側表面に突出形成されると共に、互いに前記本体の長手方向において対向する一対の突出部とを備える。
【００１１】
ここで、本体の外側表面に突出形成されると共に、互いに本体の長手方向において対向する一対の突出部によって、本体を、第二指〜第五指と手のひらで握ったときに、指を挟むことができる。
【００１２】
また、本発明の注入器用補助具において、本体は、両端に突出部が突出形成されていると共に、突出部の対向方向に伸縮可能に構成された場合、伸縮させることで手の大きさに合わせて突出部の間の距離を調節することができる。
【００１３】
また、本発明の注入器用補助具において、本体が、一端に第１の突出部が突出形成されていると共に、他端の内側表面に突起部が形成された第１の本体と、第１の本体の外側表面に同軸状にかつスライド可能に取付けられると共に、外側表面に第２の突出部が突出形成された第２の本体とを有するものとすることができる。
【００１４】
また、上記の目的を達成するために、本発明の注入器は、注入器本体と、両端に開口部が形成されると共に、前記注入器本体を挿入可能に構成された筒形状の補助具と、該補助具の外側表面に突出形成されると共に、互いに前記補助具の長手方向において対向する一対の突出部とを備える。
【００１５】
ここで、補助具の外側表面に突出形成されると共に、互いに補助具の長手方向において対向する一対の突出部によって、注入器本体を挿入した補助具を、第二指〜第五指と手のひらで握ったときに、指を挟むことができる。
【００１６】
また、本発明の注入器において、注入器本体の一端に注入ボタンが設けられ、突出部の一つが、注入ボタンから２ｃｍ以内の距離に位置する場合、注入器本体を挿入した補助具を、第二指〜第五指と手のひらで握った状態で、注入ボタンを押す拇指に力が入りやすい。
【発明の効果】
【００１７】
本発明に係る注入器用補助具は、注入器本体に取付けられて、注入器を握った指を固定できる。
本発明に係る注入器は、注入器を握った指を固定できる。
【図面の簡単な説明】
【００１８】
【図１】本発明の注入器用補助具の一例を示す概略図である。
【図２】図１に示した本発明の注入器用補助具の概略分解図である。
【図３】注入器本体を本発明の注入器用補助具に挿入する様子を示す概略図である。
【図４】本発明の注入器を使用する様子を説明する概略図である。
【図５】従来の注入用補助具を示す概略図である。
【発明を実施するための形態】
【００１９】
以下、本発明の実施の形態について図面を参照しながら説明し、本発明の理解に供する。
図１は、本発明の注入器用補助具の一例を示す概略図である。また、図２は、図１に示した本発明の注入器用補助具の概略分解図である。
【００２０】
本発明の注入器用補助具１は、両端に開口部３が形成された円筒形状の本体２を備える。また、本発明の注入器用補助具１は、本体２の外側表面に突出形成されると共に、互いに本体２の長手方向において対向する一対の突出部４を備える。
【００２１】
また、本体２は、一端に第１の突出部４Ａが突出形成されていると共に、他端の内側表面に突起部５が形成された第１の本体２Ａと、第１の本体２Ａの外側表面に同軸状にかつスライド可能に取付けられると共に、第１の本体２Ａ側とは反対側の端部の外側表面に第２の突出部４Ｂが突出形成された第２の本体２Ｂとを有する。
【００２２】
ここで、第２の本体２Ｂの内径は、第１の本体２Ａの外径と略同じであり、両者の接触面（第１の本体２Ａの外側表面と第２の本体２Ｂの内側表面）における摩擦によって、第１の本体２Ａと第２の本体２Ｂは通常、一定の位置に留まっている。
そして、所定の力即ち摩擦力より大きい力を加えることで両者はスライドし、本体２を伸縮させることができる。
【００２３】
即ち、本体２は、両端に突出部４が突出形成されていると共に、突出部４の対向方向に伸縮可能に構成されている。
【００２４】
また、図に示すように、第１の突出部４Ａは、第１の本体２Ａに対して略垂直に突出形成された領域と、この領域から連続して第２の突出部４Ｂへ向けて湾曲した領域とを有しており、第２の突出部４Ｂは、第２の本体２Ｂに対して略垂直に突出形成された領域と、この領域から連続して第１の突出部４Ａへ向けて湾曲した領域とを有する。
【００２５】
即ち、第１の突出部４Ａと第２の突出部４Ｂは、第１の本体２Ａと第２の本体２Ｂを握った指の形に合うように形成されている。
【００２６】
また、第１の本体２Ａの他端の内側表面に形成された突起部５は、図２に示すように、第１の本体２Ａの内側表面に沿って円弧状に形成されていると共に、突起部５には、直径方向に対向する位置に２つの切り欠き部５Ａが形成されている。
【００２７】
また、第１の本体２Ａは、第２の本体２Ｂに嵌め合わせているだけなので、図２に示すように、第１の本体２Ａと第２の本体２Ｂは、分離することができる。
【００２８】
ここで、本発明の注入器用補助具は、両端に開口部が形成された筒形状の本体と、本体の外側表面に突出形成されると共に、互いに本体の長手方向において対向する一対の突出部とを備えるのであれば、必ずしも本体の両端に突出部が形成されていなくてもよい。
【００２９】
しかし、両端に突出部があれば、突出部も本体を支えることができるので、一端を下にして本発明の注入器用補助具を安定して立たせやすいので好ましい。
【００３０】
また、本発明の注入器用補助具は、両端に開口部が形成された筒形状の本体と、本体の外側表面に突出形成されると共に、互いに本体の長手方向において対向する一対の突出部とを備えるのであれば、必ずしも本体が突出部の対向方向に伸縮しなくてもよい。
【００３１】
しかし、本体が突出部の対向方向に伸縮すれば、手の大きさに合わせて突出部の間の距離を調節することができるので好ましい。
【００３２】
図３は、注入器本体を本発明の注入器用補助具に挿入する様子を示す概略図である。
ここで、注入器本体７は、ダイアル表示用開口部８と、注入器本体７の一端から注入器本体７内に挿入されると共にダイアル１０が表示されて回転により前後方向に移動可能な軸部材９を有する。
【００３３】
また、注入器本体７は、軸部材９の一端に取付けられていると共に長手方向に対して垂直方向の長さが軸部材９の外径よりも長いつまみ部材１１と、つまみ部材１１に取付けられていると共にインスリンを注入するための注入ボタン１２を有する。
【００３４】
さらに、注入器本体７は、注入器本体７の他端に取付けられていると共にインスリンが充填されたインスリンカートリッジ１３Ａが納められた収納体１３と、収納体１３の端部に取付けられた、注射針が取付けられる注射針取付部１４と、収納体１３の外側表面に注入器本体７の他端から離れて突出形成された凸部１６とを有する。
【００３５】
ここで、収納体１３の外径は、注入器本体７の外径よりも小さいので、注入器本体７と収納体１３との間で段差が形成される。
また、凸部１６の突出高さは、段差高さと略同じか、段差高さよりも低い。
【００３６】
そして、注射針取付部１４を第１の本体２Ａの一端の開口部へ向けて、注入器本体７を本発明の注入器用補助具１の本体２に挿入する。
【００３７】
第１の本体２Ａの内径は、注入器本体７の外径よりも少し大きいので、収納体１３や、凸部１６や、注入器本体７は、第１の本体２Ａ内を通過するが、第１の本体２Ａの他端の内側表面には突起部５が形成されており、しかも第１の本体２Ａの直径方向における突起部５間の距離は、収納体１３の外径と略同じである。
【００３８】
従って、凸部１６は、突起部５に当たる位置にあるが、注入器本体７を回転させて、切り欠き部５Ａに通して第１の本体２Ａの外側へ出ることができ、また、収納体１３は突起部５に当たることなく第１の本体２Ａの外側へ出ることができる。
一方、注入器本体７の外径は、収納体１３の外径より大きく、また、第１の本体２Ａの直径方向における突起部５間の距離は、収納体１３の外径と略同じなので、注入器本体７の端部が突起部５に当たり、注入器本体７は第１の本体２Ａの外側へ出ることができない。
【００３９】
また、注入器本体７を回転させて、第１の本体２Ａの外側へ出た凸部１６を突起部５に当たる位置に移動させることで、凸部１６や収納体１３が再び第１の本体２Ａ内に戻ることを防止できる。
従って、注入器本体７は、第１の本体２Ａの長手方向においてロックされた（移動しない）状態となる。
【００４０】
なお、収納体１３の一部や凸部１６は、第２の本体２Ｂ内に位置している。
【００４１】
このように、本発明の注入器用補助具に注入器本体が挿入された状態の、本発明の注入器が得られる。なお、本発明の注入器において、必ずしも、注入器本体は注入器用補助具に挿入された状態でなくてもよい。
また、図４は、本発明の注入器を使用する様子を説明する概略図である。
【００４２】
図４に示すように、本発明の注入器６は、注入器本体が挿入された注入器用補助具１と、注入器用補助具１の外側表面に突出形成されると共に、互いに注入器用補助具１の長手方向において対向する一対の突出部（第１の突出部４Ａと第２の突出部４Ｂ）４を備えており、注入器６の先端には注射針１５が取付けられている。
【００４３】
そして、第１の突出部４Ａと第２の突出部４Ｂの間に第二指〜第五指が入るように、注入器用補助具１を第二指〜第五指と手のひらで握り、第一指で、注入ボタン１２を押す。
【００４４】
このとき、第１の突出部４Ａと、注入器本体の一端に設けられた注入ボタン１２との間の距離Ａは、２ｃｍ以内である。
【００４５】
ここで、本発明の注入器が、注入器本体と、両端に開口部が形成されると共に、注入器本体を挿入可能に構成された筒形状の補助具と、補助具の外側表面に突出形成されると共に、互いに補助具の長手方向において対向する一対の突出部とを備えるのであれば、必ずしも突出部の一つ（第１の突出部）は、注入ボタンから２ｃｍ以内の距離に位置していなくてもよい。
【００４６】
しかし、突出部の一つが、注入ボタンから２ｃｍ以内の距離に位置するのであれば、注入器本体を挿入した補助具を、第二指〜第五指と手のひらで握った状態で、注入ボタンを押す拇指（第一指）に力が入りやすいので好ましい。
【００４７】
また、本発明の注入器を用いてインスリンを注入する例を説明したが、その他の薬剤、例えば成長ホルモン剤や、骨粗しょう症治療薬も注入できることは勿論である。
【００４８】
以上のように、本発明の注入器用補助具は、本体の外側表面に突出形成されると共に、互いに本体の長手方向において対向する一対の突出部を備えているので、本体を、第二指〜第五指と手のひらで握ったときに、指を挟むことができる。
【００４９】
従って、本発明の注入器用補助具は、注入器本体に取付けられて、注入器を握った指を固定できる。
【００５０】
また、本発明の注入器も、補助具の外側表面に突出形成されると共に、互いに補助具の長手方向において対向する一対の突出部を備えているので、注入器本体を挿入した補助具を、第二指〜第五指と手のひらで握ったときに、指を挟むことができる。
【００５１】
従って、本発明に係る注入器は、注入器を握った指を固定できる。
【００５２】
また、本発明の注入器用補助具は、本体が、突出部の対向方向に伸縮可能に構成されているので、手の大きさに合わせて突出部の間の距離を調節することができる。
【符号の説明】
【００５３】
１    注入器用補助具
２    本体
２Ａ  第１の本体
２Ｂ  第２の本体
３    開口部
４    突出部
４Ａ  第１の突出部
４Ｂ  第２の突出部
５    突起部
５Ａ  切り欠き部
６    注入器
７    注入器本体
８    ダイアル表示用開口部
９    軸部材
１０    ダイアル
１１    つまみ部材
１２    注入ボタン
１３    収納体
１３Ａ  インスリンカートリッジ
１４    注射針取付部
１５    注射針
１６    凸部
【図１】
2013063152.tif 000003
【図２】
2013063152.tif 000004
【図３】
2013063152.tif 000005
【図４】
2013063152.tif 000006
【図５】
2013063152.tif 000007
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
両端に開口部が形成された筒形状の本体と、
該本体の外側表面に突出形成されると共に、互いに前記本体の長手方向において対向する一対の突出部とを備え、
前記本体は、両端に前記突出部が突出形成されていると共に、前記突出部の対向方向に伸縮可能に構成された
注入器用補助具。
【請求項２】
前記本体が、一端に第１の突出部が突出形成されていると共に、他端の内側表面に突起部が形成された第１の本体と、
前記第１の本体の外側表面に同軸状にかつスライド可能に取付けられると共に、外側表面に第２の突出部が突出形成された第２の本体とを有する
請求項１に記載の注入器用補助具。
【請求項３】
注入器本体と、
両端に開口部が形成されると共に、前記注入器本体を挿入可能に構成された筒形状の補助具と、
該補助具の外側表面に突出形成されると共に、互いに前記補助具の長手方向において対向する一対の突出部とを備え、
前記補助具は、両端に前記突出部が突出形成されていると共に、前記突出部の対向方向に伸縮可能に構成された
注入器。
【請求項４】
前記注入器本体の一端に注入ボタンが設けられ、
前記突出部の一つが、該注入ボタンから２ｃｍ以内の距離に位置する
請求項３に記載の注入器。